【手続補正書】
【提出日】平成18年5月10日(2006.5.10)
【手続補正１】
【補正対象書類名】明細書
【補正対象項目名】発明の名称
【補正方法】変更
【補正の内容】
【発明の名称】画像読取送信装置及び画像確認用データ生成方法、並びにプログラム及び記憶媒体
【手続補正２】
【補正対象書類名】明細書
【補正対象項目名】特許請求の範囲
【補正方法】変更
【補正の内容】
【特許請求の範囲】
【請求項１】  画像を読み取り、他装置に送信する画像読取送信装置において、
画像の読み取りを行う画像読取手段と、
前記画像読取手段によって読み取られた画像データを他装置に送信する前に該画像データを確認のため表示すべき旨の指示を受け取る受取手段と、
前記受取手段によって前記指示を受け取っているか否かに拘わらず、前記画像読取手段によって読み取られた画像データに基づき、画像確認用表示データを生成する生成手段と
を有することを特徴とする画像読取送信装置。
【請求項２】  前記生成手段が生成した画像確認用表示データを記憶装置に格納する格納手段と、
前記受取手段によって前記指示を受け取っているとき、前記記憶装置から前記画像確認用表示データを読み出して表示装置に表示させる表示制御手段と
を更に有することを特徴とする請求項１に記載の画像読取送信装置。
【請求項３】  前記記憶装置は、前記画像読取送信装置内に設けられることを特徴とする請求項２に記載の画像読取送信装置。
【請求項４】  前記記憶装置は、前記画像読取送信装置に通信回線によって接続された装置内に設けられることを特徴とする請求項２に記載の画像読取送信装置。
【請求項５】  前記格納手段は、前記画像読取手段によって読み取られた画像データを前記画像確認用表示データとともに前記記憶装置に格納し、
前記画像読取送信装置は、前記記憶装置に格納された画像データを読み出して他装置に送信する送信手段を更に有することを特徴とする請求項２に記載の画像読取送信装置。
【請求項６】  前記生成手段は、前記記憶装置に格納された画像データが前記送信手段によって送信されるべき宛先に前記記憶装置が含まれない場合は、前記画像確認用表示データを生成しないことを特徴とする請求項５に記載の画像読取送信装置。
【請求項７】  画像を読み取り、他装置に送信する画像読取送信装置に適用される画像確認用データ生成方法において、
画像の読み取りを行う画像読取ステップと、
前記画像読取ステップによって読み取られた画像データを他装置に送信する前に該画像データを確認のため表示すべき旨の指示を受け取る受取ステップと、
前記受取ステップによって前記指示を受け取っているか否かに拘わらず、前記画像読取ステップによって読み取られた画像データに基づき、画像確認用表示データを生成する生成ステップと
を有することを特徴とする画像確認用データ生成方法。
【請求項８】  前記生成ステップによって生成された画像確認用表示データを記憶装置に格納する格納ステップと、
前記受取ステップによって前記指示が受け取られているとき、前記記憶装置から前記画像確認用表示データを読み出して表示装置に表示させる表示制御ステップと
を更に有することを特徴とする請求項７に記載の画像確認用データ生成方法。
【請求項９】  前記記憶装置は、前記画像読取送信装置内に設けられることを特徴とする請求項８に記載の画像確認用データ生成方法。
【請求項１０】  前記記憶装置は、前記画像読取送信装置に通信回線によって接続された装置内に設けられることを特徴とする請求項８に記載の画像確認用データ生成方法。
【請求項１１】  前記格納ステップは、前記画像読取ステップによって読み取られた画像データを前記画像確認用表示データとともに前記記憶装置に格納し、
前記画像確認用データ生成方法は、前記記憶装置に格納された画像データを読み出して他装置に送信する送信ステップを更に有することを特徴とする請求項８に記載の画像確認用データ生成方法。
【請求項１２】  前記生成ステップは、前記記憶装置に格納された画像データが前記送信ステップによって送信されるべき宛先に前記記憶装置が含まれない場合は、前記画像確認用表示データを生成しないことを特徴とする請求項１１に記載の画像確認用データ生成方法。
【請求項１３】  画像を読み取り、他装置に送信する画像読取送信装置に適用される画像確認用データ生成方法を、コンピュータに実行させるためのプログラムにおいて、
前記画像確認用データ生成方法が、
画像の読み取りを行う画像読取ステップと、
前記画像読取ステップによって読み取られた画像データを他装置に送信する前に該画像データを確認のため表示すべき旨の指示を受け取る受取ステップと、
前記受取ステップによって前記指示を受け取っているか否かに拘わらず、前記画像読取ステップによって読み取られた画像データに基づき、画像確認用表示データを生成する生成ステップと
を有することを特徴とするプログラム。
【請求項１４】  前記画像確認用データ生成方法が、
前記生成ステップによって生成された画像確認用表示データを記憶装置に格納する格納ステップと、
前記受取ステップによって前記指示が受け取られているとき、前記記憶装置から前記画像確認用表示データを読み出して表示装置に表示させる表示制御ステップと
を更に有することを特徴とする請求項１３に記載のプログラム。
【請求項１５】  前記記憶装置は、前記画像読取送信装置内に設けられることを特徴とする請求項１４に記載のプログラム。
【請求項１６】  前記記憶装置は、前記画像読取送信装置に通信回線によって接続された装置内に設けられることを特徴とする請求項１４に記載のプログラム。
【請求項１７】  前記格納ステップは、前記画像読取ステップによって読み取られた画像データを前記画像確認用表示データとともに前記記憶装置に格納し、
前記画像確認用データ生成方法は、前記記憶装置に格納された画像データを読み出して他装置に送信する送信ステップを更に有することを特徴とする請求項１４に記載のプログラム。
【請求項１８】  前記生成ステップは、前記記憶装置に格納された画像データが前記送信ステップによって送信されるべき宛先に前記記憶装置が含まれない場合は、前記画像確認用表示データを生成しないことを特徴とする請求項１７に記載のプログラム。
【請求項１９】  画像を読み取り、他装置に送信する画像読取送信装置に適用される画像確認用データ生成方法をプログラムとして記憶した、コンピュータにより読み出し可能な記憶媒体において、
前記画像確認用データ生成方法が、
画像の読み取りを行う画像読取ステップと、
前記画像読取ステップによって読み取られた画像データを他装置に送信する前に該画像データを確認のため表示すべき旨の指示を受け取る受取ステップと、
前記受取ステップによって前記指示を受け取っているか否かに拘わらず、前記画像読取ステップによって読み取られた画像データに基づき、画像確認用表示データを生成する生成ステップと
を有することを特徴とする記憶媒体。
【請求項２０】  前記画像確認用データ生成方法が、
前記生成ステップによって生成された画像確認用表示データを記憶装置に格納する格納ステップと、
前記受取ステップによって前記指示が受け取られているとき、前記記憶装置から前記画像確認用表示データを読み出して表示装置に表示させる表示制御ステップと
を更に有することを特徴とする請求項１９に記載の記憶媒体。
【請求項２１】  前記記憶装置は、前記画像読取送信装置内に設けられることを特徴とする請求項２０に記載の記憶媒体。
【請求項２２】  前記記憶装置は、前記画像読取送信装置に通信回線によって接続された装置内に設けられることを特徴とする請求項２０に記載の記憶媒体。
【請求項２３】  前記格納ステップは、前記画像読取ステップによって読み取られた画像データを前記画像確認用表示データとともに前記記憶装置に格納し、
前記画像確認用データ生成方法は、前記記憶装置に格納された画像データを読み出して他装置に送信する送信ステップを更に有することを特徴とする請求項２０に記載の記憶媒体。
【請求項２４】  前記生成ステップは、前記記憶装置に格納された画像データが前記送信ステップによって送信されるべき宛先に前記記憶装置が含まれない場合は、前記画像確認用表示データを生成しないことを特徴とする請求項２３に記載の記憶媒体。
【手続補正３】
【補正対象書類名】明細書
【補正対象項目名】０００１
【補正方法】変更
【補正の内容】
【０００１】
【発明の属する技術分野】
本発明は、画像読取送信装置及び画像確認用データ生成方法、並びにプログラム及び記憶媒体に関し、特に、画像を読取り、他装置に送信する画像読取送信装置及び画像確認用データ生成方法、並びにプログラム及び記憶媒体に関する。
【手続補正４】
【補正対象書類名】明細書
【補正対象項目名】０００９
【補正方法】変更
【補正の内容】
【０００９】
本発明はこのような問題点に鑑みてなされたものであって、読み取った画像データを迅速に表示確認できるようにした画像読取送信装置及び画像確認用データ生成方法、並びにプログラム及び記憶媒体を提供することを目的とする。
【手続補正５】
【補正対象書類名】明細書
【補正対象項目名】００１０
【補正方法】変更
【補正の内容】
【００１０】
【課題を解決するための手段】
上記目的を達成するために、本発明によれば、画像を読み取り、他装置に送信する画像読取送信装置において、画像の読み取りを行う画像読取手段と、前記画像読取手段によって読み取られた画像データを他装置に送信する前に該画像データを確認のため表示すべき旨の指示を受け取る受取手段と、前記受取手段によって前記指示を受け取っているか否かに拘わらず、前記画像読取手段によって読み取られた画像データに基づき、画像確認用表示データを生成する生成手段とを有することを特徴とする画像読取送信装置が提供される。
また、本発明によれば、画像を読み取り、他装置に送信する画像読取送信装置に適用される画像確認用データ生成方法において、画像の読み取りを行う画像読取ステップと、前記画像読取ステップによって読み取られた画像データを他装置に送信する前に該画像データを確認のため表示すべき旨の指示を受け取る受取ステップと、前記受取ステップによって前記指示を受け取っているか否かに拘わらず、前記画像読取ステップによって読み取られた画像データに基づき、画像確認用表示データを生成する生成ステップとを有することを特徴とする画像確認用データ生成方法が提供される。
また、本発明によれば、画像を読み取り、他装置に送信する画像読取送信装置に適用される画像確認用データ生成方法を、コンピュータに実行させるためのプログラムにおいて、前記画像確認用データ生成方法が、画像の読み取りを行う画像読取ステップと、前記画像読取ステップによって読み取られた画像データを他装置に送信する前に該画像データを確認のため表示すべき旨の指示を受け取る受取ステップと、前記受取ステップによって前記指示を受け取っているか否かに拘わらず、前記画像読取ステップによって読み取られた画像データに基づき、画像確認用表示データを生成する生成ステップとを有することを特徴とするプログラムが提供される。
また、本発明によれば、画像を読み取り、他装置に送信する画像読取送信装置に適用される画像確認用データ生成方法をプログラムとして記憶した、コンピュータにより読み出し可能な記憶媒体において、前記画像確認用データ生成方法が、画像の読み取りを行う画像読取ステップと、前記画像読取ステップによって読み取られた画像データを他装置に送信する前に該画像データを確認のため表示すべき旨の指示を受け取る受取ステップと、前記受取ステップによって前記指示を受け取っているか否かに拘わらず、前記画像読取ステップによって読み取られた画像データに基づき、画像確認用表示データを生成する生成ステップとを有することを特徴とする記憶媒体が提供される。
【手続補正６】
【補正対象書類名】明細書
【補正対象項目名】００５５
【補正方法】削除
【補正の内容】
【手続補正７】
【補正対象書類名】明細書
【補正対象項目名】００５６
【補正方法】削除
【補正の内容】
【手続補正８】
【補正対象書類名】明細書
【補正対象項目名】００５７
【補正方法】削除
【補正の内容】
【手続補正９】
【補正対象書類名】明細書
【補正対象項目名】００５８
【補正方法】削除
【補正の内容】
【手続補正１０】
【補正対象書類名】明細書
【補正対象項目名】００５９
【補正方法】削除
【補正の内容】
【手続補正１１】
【補正対象書類名】明細書
【補正対象項目名】００６０
【補正方法】削除
【補正の内容】
【手続補正１２】
【補正対象書類名】明細書
【補正対象項目名】００６１
【補正方法】削除
【補正の内容】
【手続補正１３】
【補正対象書類名】明細書
【補正対象項目名】００６２
【補正方法】削除
【補正の内容】
【手続補正１４】
【補正対象書類名】明細書
【補正対象項目名】００６３
【補正方法】削除
【補正の内容】
【手続補正１５】
【補正対象書類名】明細書
【補正対象項目名】００６４
【補正方法】削除
【補正の内容】
【手続補正１６】
【補正対象書類名】明細書
【補正対象項目名】００６５
【補正方法】削除
【補正の内容】
【手続補正１７】
【補正対象書類名】明細書
【補正対象項目名】００６６
【補正方法】削除
【補正の内容】
【手続補正１８】
【補正対象書類名】明細書
【補正対象項目名】００６７
【補正方法】削除
【補正の内容】
【手続補正１９】
【補正対象書類名】明細書
【補正対象項目名】００６８
【補正方法】削除
【補正の内容】
【手続補正２０】
【補正対象書類名】明細書
【補正対象項目名】００６９
【補正方法】削除
【補正の内容】
【手続補正２１】
【補正対象書類名】明細書
【補正対象項目名】００７０
【補正方法】削除
【補正の内容】
【手続補正２２】
【補正対象書類名】明細書
【補正対象項目名】００７１
【補正方法】削除
【補正の内容】
【手続補正２３】
【補正対象書類名】明細書
【補正対象項目名】００７２
【補正方法】削除
【補正の内容】
【手続補正２４】
【補正対象書類名】明細書
【補正対象項目名】００７３
【補正方法】削除
【補正の内容】
【手続補正２５】
【補正対象書類名】明細書
【補正対象項目名】００７４
【補正方法】削除
【補正の内容】
【手続補正２６】
【補正対象書類名】明細書
【補正対象項目名】００７５
【補正方法】削除
【補正の内容】
【手続補正２７】
【補正対象書類名】明細書
【補正対象項目名】００７６
【補正方法】削除
【補正の内容】
【手続補正２８】
【補正対象書類名】明細書
【補正対象項目名】００７７
【補正方法】削除
【補正の内容】
【手続補正２９】
【補正対象書類名】明細書
【補正対象項目名】００７８
【補正方法】削除
【補正の内容】
【手続補正３０】
【補正対象書類名】明細書
【補正対象項目名】００７９
【補正方法】削除
【補正の内容】